(57)【要約】【課題】  送信のための専用ＤＣオフセット構造をハードウェア的に別途に構成せずに、送信ＤＣオフセットを補正し得る携帯端末機の送信ＤＣオフセット除去方法を提供する。【解決手段】  送信信号が携帯端末機の送信部から受信部に逆循環される段階と、受信部で前記送信信号のＤＣオフセット情報が把握されて前記送信部にフィードバックされる段階と、を行って携帯端末機の送信ＤＣオフセットを除去する。さらなる実施形態において、前記携帯端末機は、時分割同期式符号分割多重接続方式の携帯端末機であり得る。【選択図】図１
2005094757.tif 000002
【特許請求の範囲】
【請求項１】
送信信号が携帯端末機の送信部から受信部に逆循環（ｌｏｏｐ  ｂａｃｋ）される段階と、
受信部で前記送信信号の直流（Ｄｉｒｅｃｔ  Ｃｕｒｒｅｎｔ：以下ＤＣと略称する）オフセット情報が把握されて前記送信部にフィードバックされる段階と、から構成されたことを特徴とする携帯端末機の送信ＤＣオフセット除去方法。
【請求項２】
前記携帯端末機は、
時分割同期式符号分割多重接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：以下ＴＤ−ＳＣＤＭＡと略称する）方式の携帯端末機であることを特徴とする請求項１記載の携帯端末機の送信ＤＣオフセット除去方法。
【請求項３】
前記送信信号は、
前記送信部が使用されないタイムスロットの一部を割り当てて受信部に逆循環させることを特徴とする請求項１記載の携帯端末機の送信ＤＣオフセット除去方法。
【請求項４】
前記使用されないタイムスロットは、
ガード期間（ｇｕａｒｄ  ｐｅｒｉｏｄ）を含むことを特徴とする請求項３記載の携帯端末機の送信ＤＣオフセット除去方法。
【請求項５】
前記送信信号は、
ＤＣオフセットを判別しやすいダミーデータであることを特徴とする請求項１記載の携帯端末機の送信ＤＣオフセット除去方法。
【請求項６】
前記送信信号のＤＣオフセット情報は、
制御信号を通して送信部にフィードバックされることを特徴とする請求項１記載の携帯端末機の送信ＤＣオフセット除去方法。
【請求項７】
前記逆循環は、
携帯端末機のＲＦスイッチに追加された逆循環モードにより行われることを特徴とする請求項１記載の携帯端末機の送信ＤＣオフセット除去方法。
【請求項８】
前記受信部は、
自身のＤＣオフセット除去のための構造を利用して送信信号のＤＣオフセットを把握することを特徴とする請求項１記載の携帯端末機のＤＣオフセット除去方法。
【請求項９】
携帯端末機が使用されないタイムスロットの一部を割り当てて携帯端末機の送信信号を受信部に逆循環させる段階と、
受信部が自身のＤＣオフセット除去のための構造を利用して前記受信した送信信号のＤＣオフセットを把握する段階と、
受信部が前記把握された送信信号のＤＣオフセット情報を送信部にフィードバックさせる段階と、を含んで構成されたことを特徴とする携帯端末機の送信ＤＣオフセット除去方法。
【請求項１０】
前記使用されないタイムスロットは、
ガード期間を含むことを特徴とする請求項９記載の携帯端末機の送信ＤＣオフセット除去方法。
【請求項１１】
前記送信信号は、
ＤＣオフセットを判別しやすいダミーデータであることを特徴とする請求項９記載の携帯端末機の送信ＤＣオフセット除去方法。
【請求項１２】
前記送信信号のＤＣオフセット情報は、
制御信号を通して送信部にフィードバックされることを特徴とする請求項９記載の携帯端末機の送信ＤＣオフセット除去方法。
【請求項１３】
前記逆循環は、
携帯端末機のＲＦスイッチに追加された逆循環モードにより行われることを特徴とする請求項９記載の携帯端末機の送信ＤＣオフセット除去方法。
【請求項１４】
前記携帯端末機は、
ＴＤ−ＳＣＤＭＡ方式の携帯端末機であることを特徴とする請求項９記載の携帯端末機の送信ＤＣオフセット除去方法。
【請求項１５】
携帯端末機の送信部が送信信号を受信部に逆循環させると、受信部が前記送信信号のＤＣオフセット情報を把握して前記送信部にフィードバックさせることを特徴とする携帯端末機の送信ＤＣオフセット除去方法。
【請求項１６】
前記携帯端末機は、
ＴＤ−ＳＣＤＭＡ方式の携帯端末機であることを特徴とする請求項１５記載の携帯端末機の送信ＤＣオフセット除去方法。
【請求項１７】
前記送信信号は、
前記送信部が使用されないタイムスロットの一部を割り当てて受信部に逆循環させることを特徴とする請求項１５記載の携帯端末機の送信ＤＣオフセット除去方法。
【請求項１８】
前記使用されないタイムスロットは、
ガード期間を含むことを特徴とする請求項１７記載の携帯端末機の送信ＤＣオフセット除去方法。
【請求項１９】
前記送信信号は、
ＤＣオフセットを判別しやすいダミーデータであることを特徴とする請求項１５記載の携帯端末機の送信ＤＣオフセット除去方法。
【請求項２０】
前記送信信号のＤＣオフセット情報は、
制御信号を通して送信部にフィードバックされることを特徴とする請求項１５記載の携帯端末機の送信ＤＣオフセット除去方法。
【請求項２１】
前記逆循環は、
携帯端末機のＲＦスイッチに追加された逆循環モードにより行われることを特徴とする請求項１５記載の携帯端末機の送信ＤＣオフセット除去方法。
【請求項２２】
前記受信部は、
自身のＤＣオフセット除去のための構造を利用して送信信号のＤＣオフセットを把握することを特徴とする請求項１５記載の携帯端末機のＤＣオフセット除去方法。
【発明の詳細な説明】
【技術分野】
【０００１】
本発明は、携帯端末機に係るもので、詳しくは、時分割同期式符号分割多重接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：以下ＴＤ−ＳＣＤＭＡと略称する）方式の携帯端末機の送信直流（Ｄｉｒｅｃｔ  Ｃｕｒｒｅｎｔ  ：以下ＤＣ  と略称する）オフセットを除去する携帯端末機の送信ＤＣオフセット除去方法に関するものである。
【背景技術】
【０００２】
ＴＤ−ＳＣＤＭＡ方式は、世界の最大市場として注目を受ける中国で自体に開発された３世代移動通信標準であって、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）にＣＤＭＡ方式を混合して発展させたものである。
【０００３】
一般に、図２のように、前記ＴＤ−ＳＣＤＭＡの送信部でＤＣオフセットが発生すると、高周波（Ｒａｄｉｏ  Ｆｒｅｑｕｅｎｃｙ：ＲＦ）スペクトルで要求される信号成分対比雑音（Ｓｉｇｎａｌ  ｔｏ  Ｎｏｉｓｅ  Ｒａｔｉｏ：ＳＮＲ）のレベルよりも比較的大きいＤＣ成分が存在することで、基地局の受信信号品質に悪影響を与える。また、これを克服するために、携帯端末機の電力増幅器の出力が大きくなり、電力損失も非常に大きくなるという問題が発生する。
【０００４】
その原因は、携帯端末機の送信信号の初期ＤＣオフセットは、良い品質の信号になるように適切に合わせてあるが、その後、温度の変化による各部品の特性変動、デジタル−アナログ変換の不正確性、高調波成分などの除去のための基底帯域フィルタのチャンネル別差異及び送信高周波集積回路（Ｒａｄｉｏ  Ｆｒｅｑｕｅｎｃｙ  Ｉｎｔｅｇｒａｔｅｄ  ｃｉｒｃｕｉｔ：以下ＲＦＩＣと略称する）に要求されるＤＣオフセット入力に伴う中間回路構成の差異による変化などが発生するためである。
【０００５】
前記ＴＤ−ＳＣＤＭＡだけでなく、ＧＳＭ方式の携帯端末機も、直接変換方式を使用する場合、受信端側は必ずＤＣオフセット除去のための構造を含むが、その反面、送信端側にはＤＣオフセット除去機能が全く適用されなかった。
【発明の開示】
【発明が解決しようとする課題】
【０００６】
以上説明したように、従来は、基地局の受信信号品質に悪影響を与えて携帯端末機の電力消耗を大きくするという問題点があった。
【０００７】
また、送信端側にＤＣオフセット除去機能が適用される場合も、送信のための専用ＤＣオフセット構造をハードウェア的に構成すべきであった。従って、チップの内部に追加的な制御ピン及びレジスタが生じて回路の構成が煩雑になり、よって、携帯端末機の小型化趨勢に反するという問題点があった。
【０００８】
本発明は、このような従来の課題に鑑みてなされたもので、送信のための専用ＤＣオフセット構造をハードウェア的に別途に構成せずに、送信ＤＣオフセットを補正し得る携帯端末機の送信ＤＣオフセット除去方法を提供することを目的とする。
【課題を解決するための手段】
【０００９】
このような目的を達成するため、本発明に係る携帯端末機の送信ＤＣオフセット除去方法は、携帯端末機が任意のタイムスロットでダウンリンク基地局の送信信号を受信する途中で、使用されないタイムスロットの一部を割り当てて携帯端末機の送信信号を受信部に逆循環（ｌｏｏｐ  ｂａｃｋ）させる過程と、受信部がＤＣオフセット除去のための構造を利用して前記受信した送信信号のＤＣオフセットを把握する過程と、受信部が前記把握された送信信号のＤＣオフセット情報を送信部にフィードバックさせる過程と、を含んで構成されることを特徴とする。
【００１０】
また、前記使用されないタイムスロットは、ガード期間（ｇｕａｒｄ  ｐｅｒｉｏｄ）を含むことを特徴とする。
【００１１】
また、携帯端末機のＲＦスイッチに逆循環モードを追加させることで、前記携帯端末機の送信信号が受信部に逆循環されることを特徴とする。
【００１２】
上記目的を達成するために、本発明は、例えば、以下の手段を提供する。
項目１．
送信信号が携帯端末機の送信部から受信部に逆循環（ｌｏｏｐ  ｂａｃｋ）される段階と、
受信部で前記送信信号の直流（Ｄｉｒｅｃｔ  Ｃｕｒｒｅｎｔ：以下ＤＣと略称する）オフセット情報が把握されて前記送信部にフィードバックされる段階と、から構成されたことを特徴とする携帯端末機の送信ＤＣオフセット除去方法。
項目２．
前記携帯端末機は、
時分割同期式符号分割多重接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：以下ＴＤ−ＳＣＤＭＡと略称する）方式の携帯端末機であることを特徴とする項目１記載の携帯端末機の送信ＤＣオフセット除去方法。
項目３．
前記送信信号は、
前記送信部が使用されないタイムスロットの一部を割り当てて受信部に逆循環させることを特徴とする項目１記載の携帯端末機の送信ＤＣオフセット除去方法。
項目４．
前記使用されないタイムスロットは、
ガード期間（ｇｕａｒｄ  ｐｅｒｉｏｄ）を含むことを特徴とする項目３記載の携帯端末機の送信ＤＣオフセット除去方法。
項目５．
前記送信信号は、
ＤＣオフセットを判別しやすいダミーデータであることを特徴とする項目１記載の携帯端末機の送信ＤＣオフセット除去方法。
項目６．
前記送信信号のＤＣオフセット情報は、
制御信号を通して送信部にフィードバックされることを特徴とする項目１記載の携帯端末機の送信ＤＣオフセット除去方法。
項目７．
前記逆循環は、
携帯端末機のＲＦスイッチに追加された逆循環モードにより行われることを特徴とする項目１記載の携帯端末機の送信ＤＣオフセット除去方法。
項目８．
前記受信部は、
自身のＤＣオフセット除去のための構造を利用して送信信号のＤＣオフセットを把握することを特徴とする項目１記載の携帯端末機のＤＣオフセット除去方法。
項目９．
携帯端末機が使用されないタイムスロットの一部を割り当てて携帯端末機の送信信号を受信部に逆循環させる段階と、
受信部が自身のＤＣオフセット除去のための構造を利用して前記受信した送信信号のＤＣオフセットを把握する段階と、
受信部が前記把握された送信信号のＤＣオフセット情報を送信部にフィードバックさせる段階と、を含んで構成されたことを特徴とする携帯端末機の送信ＤＣオフセット除去方法。
項目１０．
前記使用されないタイムスロットは、
ガード期間を含むことを特徴とする項目９記載の携帯端末機の送信ＤＣオフセット除去方法。
項目１１．
前記送信信号は、
ＤＣオフセットを判別しやすいダミーデータであることを特徴とする項目９記載の携帯端末機の送信ＤＣオフセット除去方法。
項目１２．
前記送信信号のＤＣオフセット情報は、
制御信号を通して送信部にフィードバックされることを特徴とする項目９記載の携帯端末機の送信ＤＣオフセット除去方法。
項目１３．
前記逆循環は、
携帯端末機のＲＦスイッチに追加された逆循環モードにより行われることを特徴とする項目９記載の携帯端末機の送信ＤＣオフセット除去方法。
項目１４．
前記携帯端末機は、
ＴＤ−ＳＣＤＭＡ方式の携帯端末機であることを特徴とする項目９記載の携帯端末機の送信ＤＣオフセット除去方法。
項目１５．
携帯端末機の送信部が送信信号を受信部に逆循環させると、受信部が前記送信信号のＤＣオフセット情報を把握して前記送信部にフィードバックさせることを特徴とする携帯端末機の送信ＤＣオフセット除去方法。
項目１６．
前記携帯端末機は、
ＴＤ−ＳＣＤＭＡ方式の携帯端末機であることを特徴とする項目１５記載の携帯端末機の送信ＤＣオフセット除去方法。
項目１７．
前記送信信号は、
前記送信部が使用されないタイムスロットの一部を割り当てて受信部に逆循環させることを特徴とする項目１５記載の携帯端末機の送信ＤＣオフセット除去方法。
項目１８．
前記使用されないタイムスロットは、
ガード期間を含むことを特徴とする項目１７記載の携帯端末機の送信ＤＣオフセット除去方法。
項目１９．
前記送信信号は、
ＤＣオフセットを判別しやすいダミーデータであることを特徴とする項目１５記載の携帯端末機の送信ＤＣオフセット除去方法。
項目２０．
前記送信信号のＤＣオフセット情報は、
制御信号を通して送信部にフィードバックされることを特徴とする項目１５記載の携帯端末機の送信ＤＣオフセット除去方法。
項目２１．
前記逆循環は、
携帯端末機のＲＦスイッチに追加された逆循環モードにより行われることを特徴とする項目１５記載の携帯端末機の送信ＤＣオフセット除去方法。
項目２２．
前記受信部は、
自身のＤＣオフセット除去のための構造を利用して送信信号のＤＣオフセットを把握することを特徴とする項目１５記載の携帯端末機のＤＣオフセット除去方法。
【発明の効果】
【００１３】
本発明に係る携帯端末機の送信ＤＣオフセット除去方法は、ＴＤ−ＳＣＤＭＡのＤＣオフセットによる信号品質を携帯端末機内で自体的に判断して調整できるので、送信信号品質が向上し、よって、電力増幅器の電力が比較的小さい場合も基地局の受信信号品質が良くなるため、携帯端末機と基地局間の電力制御側面で携帯端末機の電力消耗が減少するという効果がある。
【００１４】
また、別途の送信用の構造を設計せずに、ＴＤ−ＳＣＤＭＡ物理チャンネルで何もしないガード期間及び受信部の既に構成されたＤＣオフセット制御機能を利用して送信ＤＣオフセットを補正することで、ＲＦＩＣの設計が容易になるという効果がある。
【発明を実施するための最良の形態】
【００１５】
以下、本発明の実施の形態に対し、図面に基づいて説明する。
【００１６】
図３は、ＴＤ−ＳＣＤＭＡシステムで使用される一般的な携帯端末機の回路構成を示したブロック図である。
【００１７】
図３に示したように、一般的なＴＤ−ＳＣＤＭＡ携帯端末機は、音声または画像情報と基底帯域周波数間の相互変換を行うＴＤ−ＳＣＤＭＡデジタル基底帯域（Ｄｉｇｉｔａｌ  Ｂａｓｅ−Ｂａｎｄ：以下ＤＢＢと略称する）プロセッサ１０と、前記ＴＤ−ＳＣＤＭＡ  ＤＢＢプロセッサ１０から出力されたデジタル基底帯域信号をアナログ信号に変換する送信アナログ基底帯域部２１と、前記アナログ基底帯域信号を無線周波数（ＲＦ）に変換するＴＤ−ＳＣＤＭＡ送信ＲＦ部２２と、逆方向の信号が入ることを防止するＲＦアイソレータ２３と、所望の周波数帯域の信号のみを通過させるＲＦフィルタ２７と、送受信モードを決定するＲＦスイッチ１１と、電波を放射して受信するアンテナ１２と、受信されたＲＦ信号中、所望の周波数帯域の信号のみを通過させるＲＦ表面弾性波（Ｓｕｒｆａｃｅ  Ａｃｏｕｓｔｉｃ  Ｗａｖｅ：以下ＳＡＷと略称する）フィルタ３１と、ＲＦ信号を基底帯域信号に変換するＴＤ−ＳＣＤＭＡ受信ＲＦ部３２と、基底帯域アナログ信号をデジタル信号に変換して前記ＴＤ−ＳＣＤＭＡ  ＤＢＢプロセッサ１０に出力する受信アナログ基底帯域部３３と、を含んで構成されている。
【００１８】
ＴＤ−ＳＣＤＭＡ  ＤＢＢプロセッサ１０からの送信デジタルＩ／Ｑ信号は、送信アナログ基底帯域部２１に入力されて送信アナログＩ／Ｑ信号に変換しながら、ＴＤ−ＳＣＤＭＡ送信ＲＦ部２２の入力に適するようにフィルタリングされるか、ＤＣ成分のレベルが変動される。その後、送信アナログ信号は、ＲＦアイソレータ２３及びＲＦフィルタ２４を通してアンテナ１２に放射されるが、このとき、ＲＦスイッチ１１は、送信側にスイッチングされるべきである。
【００１９】
その反面、受信の場合、アンテナ１２に受信されたＲＦ信号は、ＲＦ  ＳＡＷフィルタ３１を通して所望の帯域にフィルタリングされて、受信ＲＦ部３２を通して基底帯域信号に変換される。受信アナログ信号は、受信アナログ基底帯域部３３を経て受信デジタル信号に変換され、ＴＤ−ＳＣＤＭＡ  ＤＢＢプロセッサ１０に受信される。
【００２０】
通常、受信部は、本格的な受信バスト（ｂｕｒｓｔ）の前にＤＣオフセットの程度を判断して、制御信号中いずれか一つを通して補正されたＤＣオフセット値に対する情報をフィードバックさせてＤＣオフセットを補正する。もし、受信ＲＦＩＣが直接変換方式であると、ＤＣオフセット除去のための複雑な構造を必ず含む。
【００２１】
本発明は、送信信号のＤＣオフセット除去のためのハードウェアを別途に構成せずに、従来のＴＤ−ＳＣＤＭＡ構造をそのまま使用する。このために、本発明は、ＴＤ−ＳＣＤＭＡの主要特徴の一つである時分割複信（Ｔｉｍｅ  Ｄｉｖｉｓｉｏｎ  Ｄｕｐｌｅｘ：以下ＴＤＤと略称する）方式の特性に起因する空の時間を活用するが、これを図４に基づいて説明する。
【００２２】
図４は、一般的なＴＤ−ＳＣＤＭＡ物理チャンネル信号形式を示した図である。
【００２３】
図４に示したように、ＴＤ−ＳＣＤＭＡは、時間的にＴＤＤにより動作するため、サブ−フレーム４２は、それぞれ０．６７５ｍｓの時間を有する７個のタイムスロット（ＴＳ０〜ＴＳ６）に分けられる。前記分けられた各タイムスロットは、指定されるか変動される状態でアップリンクあるいはダウンリンクの用途で使用される。前記アップリンクは、携帯端末機から基地局への伝送経路をいい、ダウンリンクは、反対に基地局から携帯端末機への伝送経路をいう。
【００２４】
前記７個のタイムスロット中、０番のタイムスロット（ＴＳ０）４９と１番のタイムスロット（ＴＳ１）５０間には、特別な三つのスロット、即ちダウンリンクパイロットタイムスロット（Ｄｏｗｎｌｉｎｋ  Ｐｉｌｏｔ  Ｔｉｍｅ  Ｓｌｏｔ：ＤｗＰＴＳ）４５、ガード期間（ＧＰ）４４、アップリンクパイロットタイムスロット（Ｕｐｌｉｎｋ  Ｐｉｌｏｔ  Ｔｉｍｅ  Ｓｌｏｔ：ＵｐＰＴＳ）４６が存在する。前記ＤｗＰＴＳ４５、ＧＰ４４、ＵｐＰＴＳ４６は、常に固定されているＴＳ０（４９）とＴＳ１（５０）とを区分して時間的な同期を合せるために存在するもので、全てのタイムスロットに存在するものではない。そして、アップリンク及びダウンリンクは、スイッチングポイント５１に基づいて、スイッチングポイント５１の前はアップリンクに割り当てられ、その後はダウンリンクに割り当てられる。
【００２５】
本発明は、前記ＴＤＤ方式に基づいてダウンリンクのＧＰ４７あるいはアップリンクのＧＰ４８を使用するか、使用されないタイムスロットがある場合、その時間の一部を割り当てて送信信号を受信部に逆循環させ、ＤＣオフセットによる信号の状態を既に実現された受信部のＤＣオフセット判断及び制御機能を利用して把握した後、送信部側に反映する。このために、図１に示したように、ＲＦスイッチに逆循環を可能にする機能のみを追加すればよい。図１の（ａ）は、受信モード１００及び送信モード１０１のある従来のＲＦスイッチを示した図で、（ｂ）は、本発明によって受信モード１００及び送信モード１０１の他に、逆循環モード１０２が追加されたＲＦスイッチを示したモード構成図である。
【００２６】
例えば、図４のＴＳ０（４９）のダウンリンク基地局の送信信号を携帯端末機で受信する場合、ＤｗＰＴＳ４５の前半部にあるＧＰ４７のように、如何なるタスクも行わない３２ｃｈｉｐｓ（２５ｕｓ）の時間の間、送信部は、ＤＣオフセットを判別しやすいダミーデータを受信部に送り、同時に受信部は、前記ダミーデータを受けて送信部の信号品質をＤＣオフセット観点で把握し、再び送信部を制御するために、前記把握された送信信号のＤＣオフセット情報を図３の制御信号を利用してフィードバックさせる。すると、その後、ＴＳ１（５０）のようなアップリンク携帯端末機の送信信号は、ＤＣオフセット観点で前よりも良く補正された信号を送信するようになる。前記ダミーデータは、特定の情報が入っている意味のあるデータでなく、００００００…または１１１１１１…のように意味がなく、基準としてのみ使用されるデータをいう。
【００２７】
前記ＤｗＰＴＳ４５のＧＰ４７の他にも、ＴＳ１の直ぐ前にあるＵｐＰＴＳ４６のＧＰ４８を利用することもでき、７個のタイムスロットを全て使用しない場合は、使用しないタイムスロット中何れの時間にも前記逆循環による補正が適用されて、携帯端末機の内部で行われる。
【００２８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００２９】
送信のための専用ＤＣオフセット構造をハードウェア的に別途に構成せずに、送信ＤＣオフセットを補正し得る携帯端末機の送信ＤＣオフセット除去方法を提供する。
【００３０】
送信信号が携帯端末機の送信部から受信部に逆循環される段階と、受信部で前記送信信号のＤＣオフセット情報が把握されて前記送信部にフィードバックされる段階と、を行って携帯端末機の送信ＤＣオフセットを除去する。
【図面の簡単な説明】
【００３１】
【図１】本発明に係る逆循環モード機能を追加したＲＦスイッチのモードを示した構成図である。
【図２】ＴＤ−ＳＣＤＭＡ携帯端末機の送信信号でＤＣオフセットが発生したＲＦスペクトルを示したグラフである。
【図３】ＴＤ−ＳＣＤＭＡシステムで使用される一般的な携帯端末機の回路構成を示したブロック図である。
【図４】一般的なＴＤ−ＳＣＤＭＡ物理チャンネル信号形式を示した構造図である。
【符号の説明】
【００３２】
１０：ＴＤ−ＳＣＤＭＡデジタル基底帯域プロセッサ
１１：ＲＦスイッチ
１２：アンテナ
２１：送信アナログ基底帯域部
２２：ＴＤ−ＳＣＤＭＡ送信ＲＦ部
２３：ＲＦアイソレータ
２４：ＲＦフィルタ
３１：ＲＦ  ＳＡＷフィルタ
３２：ＴＤ−ＳＣＤＭＡ受信ＲＦ部
３３：受信アナログ基底帯域部
４１：無線フレーム
４２：サブ−フレーム
４３：タイムスロット
４４：ガード期間
４５：ダウンリンクパイロットタイムスロット
４６：アップリンクパイロットタイムスロット
４７：ダウンリンクのガード期間
４８：アップリンクのガード期間
【図１】
2005094757.tif 000003
【図２】
2005094757.tif 000004
【図３】
2005094757.tif 000005
【図４】
2005094757.tif 000006